(57)【要約】【課題】組み立て時およびメンテナンス時における作業性が良好であって、完成品の見映えがよいスイッチ専用パネルの取り付け構造を提供する。【解決手段】裏面側がインストルメントパネルに取り付けられるフィニッシャー１と、前記フィニッシャー１の裏面側に組み込まれるスイッチ専用パネル２とからなるスイッチ専用パネル２の取り付け構造において、前記スイッチ専用パネル２は受け片９がその一端に設けられ、前記フィニッシャー１裏面に、スイッチ専用パネル２の一端を支持する係止爪７と、スイッチ専用パネル２の他端を支持する固定具４とが設けられ、前記固定具４に、前記受け片９との相対位置を保持するずれ止め部が形成されていることを特徴とする。【選択図】      図１
2004299550.tif 000002
【特許請求の範囲】
【請求項１】
裏面側がインストルメントパネルに取り付けられるフィニッシャーと、前記フィニッシャーの裏面側に組み込まれるスイッチ専用パネルとからなるスイッチ専用パネルの取り付け構造において、
前記スイッチ専用パネルは受け片がその一端に設けられ、前記フィニッシャー裏面に、スイッチ専用パネルの一端を支持する係止爪と、スイッチ専用パネルの他端を支持する固定具とが設けられ、前記固定具に、前記受け片との相対位置を保持するずれ止め部が形成されていることを特徴とするスイッチ専用パネルの取り付け構造。
【請求項２】
請求項１に記載のスイッチ専用パネルの取り付け構造において、前記固定具は、中央部にずれ止め部を有するハット型に折り曲げられた棒状体からなる係止部材が、前記フィニッシャー裏面の係止部材支持部で両端が回動可能に軸支されて構成され、前記受け片に前記係止部材の形状と合致する溝部が刻設されていることを特徴とするスイッチ専用パネルの取り付け構造。
【請求項３】
請求項１または請求項２に記載のスイッチ専用パネルの取り付け構造において、前記フィニッシャーの裏面に、前記スイッチ専用パネルの形状にそって位置決めピンが一体に形成されていることを特徴とするスイッチ専用パネルの取り付け構造。
【発明の詳細な説明】
【０００１】
【発明の属する技術分野】
本発明は、自動車のインストルメントパネルに取り付けられるフィニッシャーおよびスイッチ専用パネルの取り付け構造に関する。
【０００２】
【従来の技術】
近年、自動車の車載機器は、多様化、複雑化、自動化の傾向にあり、これに伴ってインストメントパネルのスイッチも増加する傾向にある。そのため、インストルメントパネル周辺における組み立て作業およびメンテナンス作業の一層の効率化が模索されている。
【０００３】
ここで、従来のインストルメントパネルへのスイッチ類の取り付けは、以下の３つのいずれかの手法で行われていた。すなわち、（１）フイニッシャーに直接スイッチを取り付けて、スイッチを取り付けたフィニッシャーをインストルメントパネルに取り付ける。（２）フィニッシャーにスイッチ専用パネルをネジ止めし、スイッチを取り付けたフィニッシャーをインストルメントパネルに取り付ける。（３）図４に示すように、インストルメントパネルにスイッチ専用パネルを取り付け、その後にインストルメントパネルにフィニッシャーを取り付ける。
【０００４】
【特許文献１】
特開平１０−１１２２３６号公報  第３頁〔００１０〕欄
【非特許文献１】
日産ディーゼル工業株式会社  「日産ディーゼル  ＧＥＮＵＩＮＥ  ＰＡＲＴＳ  ＮＤ−ＦＡＳＴ  ＰＡＲＴＳ  ＣＡＴＡＬＯＧ  ０３／０１  Ａ／Ｂ」
【０００５】
【発明が解決しようとする課題】
しかし、従来のスイッチ類の取り付け構造では以下の問題点が指摘されていた。まず、上記（１）の場合には、個別にスイッチ類を取り付けなければならず、しかもフィニッシャーの裏面にハーネス等が数多く取り付けられることから、組み立て時およびメンテナンス時のいずれでも作業性が悪い点で改善の余地があった。
【０００６】
また、上記（２）の場合には、スイッチ専用パネルをビス止めするため、組み立て時の作業性は比較的に良好である。しかし、メンテナンス時や解体時にフィニッシャーを取り外す場合には、スイッチ専用パネルのビスをすべて取り外さなければならないため煩雑である。
さらに、上記（３）の場合には取り付け時の工数が多く、また構造上フイニッシャーとスイッチ専用パネルとの間に隙間が生じることから、完成品の見映えが悪くなる点で改善の余地があった。
【０００７】
本発明は上記従来技術の欠点を除くためにされたものであり、その目的は、組み立て時およびメンテナンス時における作業性が良好であって、かつ完成品の見映えがよいスイッチ専用パネルの取り付け構造を提供することである。
【０００８】
【課題を解決するための手段】
請求項１に記載の発明は、裏面側がインストルメントパネルに取り付けられるフィニッシャーと、前記フィニッシャーの裏面側に組み込まれるスイッチ専用パネルとからなるスイッチ専用パネルの取り付け構造において、前記スイッチ専用パネルは受け片がその一端に設けられ、前記フィニッシャー裏面に、スイッチ専用パネルの一端を支持する係止爪と、スイッチ専用パネルの他端を支持する固定具とが設けられ、前記固定具に、前記受け片との相対位置を保持するずれ止め部が形成されていることを特徴とするスイッチ専用パネルの取り付け構造である。
【０００９】
請求項１の発明では、フィニッシャーの裏面に設けられた係止爪にスイッチ専用パネルの一端を引っ掛けて、スイッチ専用パネルの他端をずれ止め部を有する固定具でフィニッシャーに留め付けることで、フィニッシャーにスイッチ専用パネルを容易に取り付けることができる。
請求項２に記載の発明は、請求項１に記載のスイッチ専用パネルの取り付け構造において、前記固定具は、中央部にずれ止め部を有するハット型に折り曲げられた棒状体からなる係止部材が、前記フィニッシャー裏面の係止部材支持部で両端が回動可能に軸支されて構成され、前記受け片に前記係止部材の形状と合致する溝部が刻設されていることを特徴とする。
【００１０】
請求項２の発明では、ずれ止め部を有する係止部材と受け片の溝部とが係合し、スイッチ専用パネルが所定の位置からずれることなく保持される。
請求項３に記載の発明は、請求項１または請求項２に記載のスイッチ専用パネルの取り付け構造において、前記フィニッシャーの裏面に、前記スイッチ専用パネルの形状にそって位置決めピンが一体に形成されていることを特徴とする。
【００１１】
請求項３の発明では、スイッチ専用パネルを位置決めピンに合わせて、容易に取り付け位置に導くことができる。
【００１２】
【発明の実施の形態】
以下、図面により本発明の実施の形態を詳細に説明する。
【００１３】
図１から図３は、本実施形態のフィニッシャー１へのスイッチ専用パネル２の取り付け構造を示す（請求項１から請求項３項に対応する）。
フィニッシャー１は、自動車のインストルメントパネル３を覆い隠すように取り付けられる仕上げ板である。フィニッシャー１には、計器やスイッチ部に対応する開口が設けられており、フィニッシャー１の裏面側（インストルメントパネル３への取付側）からスイッチ専用パネル２を組み込んで、フィニッシャー１のスイッチ用開口からスイッチを表側に出す構造となっている。
【００１４】
フィニッシャー１の裏面側には、スイッチ専用パネル２の上端を支持するために、スイッチ専用パネル２の取付箇所の上側に固定具４が１個設けられている。固定具４は、ハット型に折り曲げられた棒状体からなる係止部材５で構成されている。この係止部材５の中央部５ａは円弧状に形成された突起部分５ｂで接続されており、スイッチ専用パネル２との関係で係止部材５の突起部分５ｂがずれ止めとして機能するようになっている。尚、突起部分５ｂは、ハット型に形成されている係止部材５の脚部屈曲方向となる内側に湾曲形成されている。そして、係止部材５の両端は、フィニッシャー１の裏面に設けられた２つの係止部材支持部６によって回動可能に軸支されている。
【００１５】
また、フィニッシャー１の裏面側には、スイッチ専用パネル２の下端を支持するために、スイッチ専用パネル２の取付箇所の下側に複数個の係止爪７が設けられている。この係止爪７は、スイッチ専用パネル２の端部を挟み込める大きさの鉤爪形に形成されている。
【００１６】
さらにフィニッシャー１の裏面側には、スイッチ専用パネル２の形状に沿ってた位置決めピン８が一体に形成されている。
一方、スイッチ専用パネル２の上端には受け片９が一体に形成されている。この受け片９の幅は、係止部材５の突起部分５ｂを隔てた中央部５ａよりも狭く設定され、固定具４を引っ掛けることができるように構成されている。また、受け片９には、係止部材５の中央部５ａおよび突起部分５ｂの形状と合致する溝部１０が刻設されており、溝部１０に係止部材５を係合させることができるように構成されている。
【００１７】
本実施形態のスイッチ専用パネル２の取り付け構造は上記のように構成されており、以下、その作用を説明する。
組み立て時には、まずスイッチ専用パネル２の下端をフィニッシャー１の係止爪７に引っ掛けた状態で、フィニッシャー１のスイッチ用開口に合わせてスイッチ専用パネル２を配置する。このスイッチ専用パネル２の配置は、位置決めピン８に合わせるだけなので作業が容易である。
【００１８】
次に、スイッチ専用パネル２の上端部に設けられた受け片９の溝部１０に、フィニッシャー１の係止部材５を引っ掛けて固定する。このとき、溝部１０に係合した係止部材５の突起部分５ｂにより、振動によって生じるフィニッシャー１とスイッチ専用パネル２とのずれが防止される。
そして、スイッチ専用パネル２を組み込んだフィニッシャー１を、自動車のインストルメントパネルに取り付けて組み立て作業が完了する。また、メンテナンス時や解体時の取り外し作業では上記工程を逆に行えばよい。なお、取り外し作業の場合には、受け片９の溝部１０と係止部材５との係合を解除するだけでよいので、スイッチ専用パネル２の取り外しが非常に容易である。
【００１９】
【発明の効果】
本発明のスイッチ専用パネルの取り付け構造は、フィニッシャー裏面の係止爪にスイッチ専用パネルの一端を引っ掛けて、スイッチ専用パネルの他端を固定具で留め付けるため、フィニッシャーにスイッチ専用パネルを工具を用いることなく容易に取り付けることができる。そして、スイッチ専用パネルの取り外しも、受け片と固定具との係合を解除するだけでよいので非常に容易である。
【００２０】
また、本発明では振動によって生じるフィニッシャーとスイッチ専用パネルとのずれが固定具のずれ止め部により防止される点で有利である。さらに、本発明ではスイッチ専用パネルをフイニッシャーに取り付けるため、スイッチ専用パネルとフイニッシャーとの隙間が生じず、完成品の見映えがよい点でも有利である。
【図面の簡単な説明】
【図１】（ａ）はフィニッシャーおよびスイッチ専用パネルの裏面側からの斜視図であり、（ｂ）はその取り付け状態を示す斜視図である。
【図２】フィニッシャーとスイッチ専用パネルの取り付け状態の断面図である。
【図３】図２鎖線部分における固定具と受け片との係合状態を示す斜視図である。
【図４】従来例のスイッチ専用パネルの取り付け構造を示す分解斜視図である。
【符号の説明】
１    フィニッシャー
２    スイッチ専用パネル
３    インストルメントパネル
４    固定具
５    係止部材
５ａ  中央部
５ｂ  突起部分
６    係止部材支持部
７    係止爪
８    位置決めピン
９    受け片
１０  溝部
【図１】
2004299550.tif 000003
【図２】
2004299550.tif 000004
【図３】
2004299550.tif 000005
【図４】
2004299550.tif 000006